(57)【要約】【課題】耐熱性に優れた信頼性の高い光源装置を提供する。【解決手段】光源装置１は、ランプ３と、ランプ３を保持する金属製ホルダ５ａと、金属製ホルダ５ａの表面を研磨する研磨装置６と、を有している。【選択図】図１
2017168292.tif 000002
【特許請求の範囲】
【請求項１】
ランプと、
前記ランプを保持する金属製ホルダと、
前記金属製ホルダの表面を研磨する研磨装置と、
を有する光源装置。
【請求項２】
前記研磨装置は、前記金属製ホルダの表面状態に基づいて該表面を研磨する、請求項１に記載の光源装置。
【請求項３】
前記研磨装置は、前記金属製ホルダの表面温度に基づいて該表面を研磨する、請求項２に記載の光源装置。
【請求項４】
前記研磨装置は、前記金属製ホルダの表面光沢度に基づいて該表面を研磨する、請求項２に記載の光源装置。
【請求項５】
前記研磨装置が、前記金属製ホルダを研磨するための研磨材と、前記研磨材を保持し、前記金属製ホルダの前記表面に沿って前記研磨材を駆動させる駆動部材と、を有する、請求項１から４のいずれか１項に記載の光源装置。
【請求項６】
前記金属製ホルダが、前記ランプの出射側の端部を保持する、請求項１から５のいずれか１項に記載の光源装置。
【請求項７】
前記ランプが放電ランプである、請求項１から６のいずれか１項に記載の光源装置。
【請求項８】
請求項１から７のいずれか１項に記載の光源装置を備えた投写型表示装置。
【発明の詳細な説明】
【技術分野】
【０００１】
本発明は、光源装置および投写型表示装置に関する。
【背景技術】
【０００２】
光源として高圧放電ランプ（以下、単に「ランプ」という）を用いた投写型表示装置（プロジェクタ）では、プロジェクタの性能や信頼性を長期間維持するために、点灯中に非常に高温になるランプを冷却する必要がある。ランプの冷却方式としては、冷却ファンによって外部から導入した空気（冷却風）を強制的にランプに供給して冷却する方式が広く用いられている（例えば、特許文献１，２参照）。
【先行技術文献】
【特許文献】
【０００３】
【特許文献１】特開２００９−１２３６５１号公報
【特許文献２】特開２００７−１４０１６０号公報
【発明の概要】
【発明が解決しようとする課題】
【０００４】
このような強制冷却方式では、冷却ファンのフィルタの目詰まりなどによる冷却不足に対応するために、温度センサや風量センサなどを用いて、ランプの冷却状態が監視されている。しかしながら、ランプの一時的な温度上昇は避けられないことが多く、そのような温度上昇が繰り返されると、ランプを保持する金属製ホルダが酸化などにより変色する可能性がある。ホルダが変色して金属光沢が失われると、その部分で熱吸収量が増加するため、最終的にホルダに熱変形が生じてしまう。その結果、ランプを適正な位置に保持できなくなり、出射光量が低下したり、ランプ自体が損傷したりするおそれがある。
そこで、本発明の目的は、耐熱性に優れた信頼性の高い光源装置を提供することである。また、本発明の目的は、その光源装置を備えた投写型表示装置を提供することでもある。
【課題を解決するための手段】
【０００５】
上述した目的を達成するために、本発明の光源装置は、ランプと、ランプを保持する金属製ホルダと、金属製ホルダの表面を研磨する研磨装置と、を有している。
また、本発明の投写型表示装置は、上記に記載の光源装置を有している。
【発明の効果】
【０００６】
以上、本発明によれば、耐熱性に優れた信頼性の高い光源装置と、それを備えた投写型表示装置を提供することができる。
【図面の簡単な説明】
【０００７】
【図１】本発明の一実施形態に係るランプユニットの構成を示す概略斜視図である。
【発明を実施するための形態】
【０００８】
以下、図面を参照して、本発明の実施の形態について説明する。
【０００９】
図１は、本発明の一実施形態に係るランプユニットの構成を示す概略斜視図である。
ランプユニット１は、ランプハウス２（一部図示せず）と、ランプハウス２に収容されたキセノンランプ３とを有している。キセノンランプ３は、バルブ内に高圧で封入されたキセノンガス中の放電による発光を利用した高圧放電ランプの一種であり、概ね球状の発光部３ａと、発光部３ａの両端から反対方向に延びる一対の電極部３ｂ，３ｃとを有している。
また、ランプユニット１は、キセノンランプ３から出射された光を集光するリフレクタ４と、キセノンランプ３の両端を保持する一対の金属製ホルダ５ａ，５ｂとを有している。一方のホルダ５ａは、キセノンランプ３の一方の電極部つまり陽極部３ｂを保持し、他方のホルダ５ｂは、他方の電極部つまり陰極部３ｃを保持している。
【００１０】
ランプユニット１の使用時、キセノンランプ３の出射側の端部（陽極部３ｂ）を保持するホルダ５ａは、常に出射光が照射される状態にある。そのため、ランプユニット１には冷却ファン（図示せず）が設けられているが、例えば冷却ファンのフィルタの目詰まりなどによる冷却不足が発生すると、ホルダ５ａの温度が一時的に上昇してしまうことがある。このような一時的な温度上昇が繰り返されると、ホルダ５ａの金属表面が酸化などにより変色して金属光沢が失われ、その部分で熱吸収量が増加し、最終的にホルダ５ａに熱変形が生じてしまう。
【００１１】
本実施形態では、このようなホルダ５ａの変色に対応するために、ランプユニット１が、ホルダ５ａの表面を研磨する研磨装置６を有している。研磨装置６は、ホルダ５ａを研磨するための研磨材６ａと、研磨材６ａを保持し、例えばモータ（図示せず）により棒状のホルダ５ａの表面に沿って研磨材６ａを上下に駆動させて（図中矢印参照）、ホルダ５ａの表面を研磨する駆動部材６ｂとを有している。なお、研磨装置６は、ホルダ５ａの表面を研磨できるようになっていればよく、上述の構成に限定されるものではない。
このように、本実施形態によれば、ホルダ５ａの一時的な温度上昇の繰り返しにより表面が変色したとしても、研磨装置６がその変色部分を研磨することで、元の金属光沢を蘇らせ、ホルダ５ａの熱吸収率を初期の状態に戻すことができる。すなわち、ホルダ５ａの表面の金属光沢を保つことができ、その結果、温度上昇によるホルダ５ａの熱変形を抑制することができる。
【００１２】
研磨装置６は、温度センサ７によるホルダ５ａの表面温度の検出結果に基づいて、ホルダ５ａの表面を研磨することができる。具体的には、研磨装置６は、温度センサ７によって検出されたホルダ５ａの表面温度が所定値を上回ったときに駆動部材６ｂを作動させ、研磨材６ａによってホルダ５ａの表面を研磨することができる。
なお、ホルダ５ａの表面温度を検出する代わりに、フォトセンサによるホルダ５ａの表面光沢度の検出結果に基づいて、ホルダ５ａの表面を研磨するようになっていてもよい。すなわち、フォトセンサによって検出されたホルダ５ａの表面光沢度が所定値を下回ったときに、研磨装置６が作動するようになっていてもよい。あるいは、装置の簡素化のために、上述のようなホルダ５ａの表面状態を観測する代わりに、研磨装置６は設定された時間間隔で間欠的に作動するようになっていてもよい。
【００１３】
本実施形態のランプユニットは、投写型表示装置の光源装置、特に、その両端を保持する必要がある比較的サイズが大きいランプを光源とする光源装置に好適に使用することができる。また、本実施形態のランプユニットは、投光装置としても使用することができる。なお、キセノンランプの代わりに、他の高圧放電ランプ、例えば、メタルハライドランプや高圧水銀ランプを用いることもできる。
【符号の説明】
【００１４】
１  ランプユニット（光源装置）
２  ランプハウス
３  キセノンランプ
４  リフレクタ
５ａ，５ｂ  金属製ホルダ
６  研磨装置
６ａ  研磨材
６ｂ  駆動部材
７  温度センサ
【図１】
2017168292.tif 000003